(57)【要約】  無線送受信ユニットにおける不連続受信（ＤＲＸ：Ｄｉｓｃｏｎｔｉｎｕｏｕｓ  Ｒｅｃｅｐｔｉｏｎ）オペレーションがアップリンクおよびダウンリンク送信をＤＲＸサイクルと整列させるための方法および装置が開示される。前記送信は、他のダウンリンクおよびアップリンク送信のうちのチャネル品質インジケータレポート、サウンディングリファレンス信号、または無音記述子であってよい。
2011517883.tif 000002
【特許請求の範囲】
【請求項１】
無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）によって実行されて、アップリンク送信を不連続受信（ＤＲＸ：Ｄｉｓｃｏｎｔｉｎｕｏｕｓ  Ｒｅｃｅｐｔｉｏｎ）サイクルと整列させる方法であって、
アップリンク送信に関する要求をｅＮＢから受信するステップと、
前記ＤＲＸサイクル構成が第１の長さのＤＲＸサイクルに関すると判断するステップと、
前記アップリンク送信に関するアップリンクチャネル割り当てを受信するステップであって、前記割り当ては、前記第１の長さの前記ＤＲＸサイクルのＤＲＸオン持続期間またはＤＲＸアクティブ時間期間と整列されるタイミングを有する、ステップと、
前記アップリンク送信を前記ＤＲＸオン持続期間または前記ＤＲＸアクティブ時間期間中に送信するステップと
を備えることを特徴とする方法。
【請求項２】
前記アップリンク送信は、非周期的であることを特徴とする請求項１に記載の方法。
【請求項３】
前記アップリンク送信は、チャネル品質インジケータ（ＣＱＩ：Ｃｈａｎｎｅｌ  Ｑｕａｌｉｔｙ  Ｉｎｄｉｃａｔｏｒ）レポートであることを特徴とする請求項１に記載の方法。
【請求項４】
前記ＤＲＸサイクルが構成された閾値より短いという条件で、前記第１の長さの前記ＤＲＸサイクルの前記ＣＱＩレポートに関する物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の割り当てを受信するステップをさらに備えることを特徴とする請求項３に記載の方法。
【請求項５】
ＣＱＩ要求をｅＮＢから受信するステップと、インアクティビティタイマーをスタートするステップとをさらに備えることを特徴とする請求項３に記載の方法。
【請求項６】
前記ＤＲＸアクティブ時間期間を、前記ＣＱＩレポートを送信して非周期的なＣＱＩレポートに関する要求および割り当てを受信するのに十分な長さに設定するステップをさらに備えることを特徴とする請求項３に記載の方法。
【請求項７】
前記アップリンク送信は、周期的であることを特徴とする請求項１に記載の方法。
【請求項８】
前記アップリンク送信は、サウンディングリファレンスシンボル（ＳＲＳ：Ｓｏｕｎｄｉｎｇ  Ｒｅｆｅｒｅｎｃｅ  Ｓｙｍｂｏｌ）送信であることを特徴とする請求項７に記載の方法。
【請求項９】
前記第１の長さの前記ＤＲＸサイクルの長さを前記ＳＲＳ送信期間と比較するステップと、前記ＳＲＳ送信期間が前記第１の長さの前記ＤＲＸサイクルの長さ以上であるという条件で前記ＳＲＳ送信を送るステップとをさらに備えることを特徴とする請求項８に記載の方法。
【請求項１０】
前記第１の長さより長い第２の長さのＤＲＸサイクルを構成するステップと、前記ＳＲＳ送信期間を判断するステップと、ＳＲＳを前記第２の長さの前記ＤＲＸサイクルと整列させるステップと、前記ＳＲＳ送信期間が前記第２の長さの前記ＤＲＸサイクルの長さの整数倍に等しいという条件で前記ＳＲＳ送信をＤＲＸアクティブ時間期間中に送るステップとをさらに備えることを特徴とする請求項７に記載の方法。
【請求項１１】
ＤＲＸサイクルを無線通信の無音識別子（ＳＩＤ：Ｓｉｌｅｎｃｅ  Ｉｄｅｎｔｉｆｉｅｒ）パケット送信と整列させる方法であって、
複数のＳＩＤパケットをＶｏＩＰ無音期間中に受信するステップと、
ＤＲＸオン持続期間タイマーまたはＤＲＸインアクティビティタイマーが満了したという条件で長ＤＲＸサイクルをアクティブにするステップと、
前記長ＤＲＸサイクルをダウンリンク信号における次いで受信されるＳＩＤパケットと整列させるステップと
を備えることを特徴とする方法。
【請求項１２】
ＤＲＸサイクルを無線通信の無音識別子（ＳＩＤ：Ｓｉｌｅｎｃｅ  Ｉｄｅｎｔｉｆｉｅｒ）パケット送信と整列させる方法であって、
アップリンクＳＩＤ送信に関するスケジューリング要求を送るステップであって、前記スケジューリング要求がＤＲＸサイクルのＤＲＸオン持続期間またはＤＲＸアクティブ時間期間中に送られる、ステップと、
前記アップリンクＳＩＤ送信に関する割り当てを前記ＤＲＸオン持続期間または前記ＤＲＸアクティブ時間期間中に受信するステップと、
ＤＲＸオン持続期間タイマーまたはＤＲＸインアクティビティタイマーが満了したという条件で、長ＤＲＸサイクルをアクティブにするステップと、
前記長ＤＲＸサイクルを次いで送られるアップリンクＳＩＤ送信と整列させるステップと
を備えることを特徴とする方法。
【請求項１３】
無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）であって、
アップリンク送信に関する要求を受信し、不連続受信（ＤＲＸ：Ｄｉｓｃｏｎｔｉｎｕｏｕｓ  Ｒｅｃｅｐｔｉｏｎ）サイクル構成が第１の長さのＤＲＸサイクルに関すると判断し、前記アップリンク送信に関するアップリンクチャネル割り当てを受信することであって、前記割り当ては前記第１の長さの前記ＤＲＸサイクルのＤＲＸオン持続期間またはＤＲＸアクティブ時間期間と整列されるタイミングを有し、前記アップリンク送信を前記ＤＲＸオン持続期間または前記ＤＲＸアクティブ時間期間中に送るように構成されたプロセッサを備えることを特徴とするＷＴＲＵ。
【請求項１４】
前記アップリンク送信は、非周期的であることを特徴とする請求項１３に記載のＷＴＲＵ。
【請求項１５】
前記アップリンク送信は、チャネル品質インジケータ（ＣＱＩ：Ｃｈａｎｎｅｌ  Ｑｕａｌｉｔｙ  Ｉｎｄｉｃａｔｏｒ）レポートであることを特徴とする請求項１３に記載のＷＴＲＵ。
【請求項１６】
前記ＤＲＸサイクル長さが構成された閾値より短いという条件で、前記第１の長さの前記ＤＲＸサイクルの前記ＣＱＩレポートに関する物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の割り当てを受信することをさらに備えることを特徴とする請求項１５に記載のＷＴＲＵ。
【請求項１７】
ＣＱＩ要求をｅＮＢから受信することと、インアクティビティタイマーをスタートすることとをさらに備えることを特徴とする請求項１５に記載のＷＴＲＵ。
【請求項１８】
前記ＤＲＸアクティブ時間期間を、前記ＣＱＩレポートを送信して非周期的ＣＱＩレポートに関する要求および割り当てを受信するのに十分な長さに設定することをさらに備えることを特徴とする請求項１５に記載のＷＴＲＵ。
【請求項１９】
前記アップリンク送信は、周期的であることを特徴とする請求項１３に記載のＷＴＲＵ。
【請求項２０】
前記アップリンク送信は、サウンディングリファレンスシンボル（ＳＲＳ：Ｓｏｕｎｄｉｎｇ  Ｒｅｆｅｒｅｎｃｅ  Ｓｙｍｂｏｌ）送信であることを特徴とする請求項１９に記載のＷＴＲＵ。
【請求項２１】
前記プロセッサは、ＳＲＳ送信期間を判断し、前記ＤＲＸサイクル長さを前記ＳＲＳ送信期間と比較し、前記ＤＲＸサイクル長さがＳＲＳ送信期間以上であるという条件で前記ＳＲＳ送信を送るようにさらに構成されたことを特徴とする請求項２０に記載のＷＴＲＵ。
【請求項２２】
前記プロセッサは、第２の長さのＤＲＸサイクルを構成し、前記ＳＲＳ送信期間を判断し、前記ＳＲＳを前記ＤＲＸサイクルと整列させ、前記ＳＲＳ送信期間が前記第２の長さの前記ＤＲＸサイクルの前記長さの整数倍に等しいという条件で前記ＳＲＳをＤＲＸアクティブ時間期間中に送信するようにさらに構成されたことを特徴とする請求項１８に記載のＷＴＲＵ。
【請求項２３】
ＤＲＸサイクルを無線通信の無音識別子（ＳＩＤ：Ｓｉｌｅｎｃｅ  Ｉｄｅｎｔｉｆｉｅｒ）パケット送信と整列させるためのＷＴＲＵであって、
複数のＳＩＤパケットをＶｏＩＰ無音期間中に受信し、ＤＲＸオン持続期間タイマーまたはＤＲＸインアクティビティタイマーが満了したという条件で長ＤＲＸサイクルをアクティブにし、前記長ＤＲＸサイクルをダウンリンク信号における次いで受信されるＳＩＤパケットと整列させるように構成されたプロセッサを備えることを特徴とするＷＴＲＵ。
【請求項２４】
ＤＲＸサイクルを無線通信の無音識別子（ＳＩＤ：Ｓｉｌｅｎｃｅ  Ｉｄｅｎｔｉｆｉｅｒ）パケット送信と整列させるためのＷＴＲＵであって、
アップリンクＳＩＤ送信に関するスケジューリング要求を送ることであって、前記スケジューリング要求がＤＲＸサイクルのＤＲＸオン持続期間またはＤＲＸアクティブ時間期間中に送られ、前記アップリンクＳＩＤ送信に関する割り当てを前記ＤＲＸオン持続期間または前記ＤＲＸアクティブ時間期間中に受信し、ＤＲＸオン持続期間タイマーまたはＤＲＸインアクティビティタイマーが満了したという条件で長ＤＲＸサイクルをアクティブにし、前記長ＤＲＸサイクルを次いで送られるアップリンクＳＩＤ送信と整列させるように構成されたプロセッサを備えることを特徴とするＷＴＲＵ。
【発明の詳細な説明】
【技術分野】
【０００１】
本願は、無線通信に関し、具体的には、無線送受信ユニットのＬＴＥ  ＤＲＸオペレーションにおける協調アップリンク送信に関する。
【背景技術】
【０００２】
３ＧＰＰ（ｔｈｅ  Ｔｈｉｒｄ  Ｇｅｎｅｒａｔｉｏｎ  Ｐａｒｔｎｅｒｓｈｉｐ  Ｐｒｏｊｅｃｔ）において、不連続受信（ＤＲＸ：Ｄｉｓｃｏｎｔｉｎｕｏｕｓ  Ｒｅｃｅｐｔｉｏｎ）がネットワークとユーザ機器（ＵＥ：Ｕｓｅｒ  Ｅｑｕｉｐｍｅｎｔ）との間に使用されて、ＵＥの電力を節約する。ＵＥは、無線リソース制御（ＲＲＣ：Ｒａｄｉｏ  Ｒｅｓｏｕｒｃｅ  Ｃｏｎｔｒｏｌ）／媒体アクセス制御（ＭＡＣ：Ｍｅｄｉａ  Ａｃｃｅｓｓ  Ｃｏｎｔｒｏｌ）によってＤＲＸ機能性を有するように構成することができ、前記ＤＲＸ機能性によって、ＵＥがパケットデータ制御チャネル（ＰＤＣＣＨ：Ｐａｃｋｅｔ  Ｄａｔａ  Ｃｏｎｔｒｏｌ  Ｃｈａｎｎｅｌ）を監視するのをある期間（即ち、スリープ期間）中に止めることが可能になる。ＤＲＸ機能性は、長ＤＲＸサイクル、ＤＲＸインアクティビティタイマー（Ｉｎａｃｔｉｖｉｔｙ  Ｔｉｍｅｒ）、及びＤＲＸ再送信タイマーからなる。ＤＲＸ機能性は、オプションとして短ＤＲＸサイクルおよびＤＲＸ短サイクルタイマーを含み、これらはすべて３ＧＰＰ仕様において定義される。長ＤＲＸサイクルは、短ＤＲＸサイクルよりＵＥに長いスリープ期間を提供する。例えば、長ＤＲＸサイクルは１６０ｍｓとすることができ、短ＤＲＸサイクルは８０ｍｓとすることができる。
【０００３】
アクティブ時間期間は、ＵＥがアウェイク状態にある期間として定義される。ＤＲＸがより上位層によって構成された時、このアクティブ時間期間は、オン持続期間と、ＤＲＸインアクティビティタイマーが満了していない間にＵＥが物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を連続的に監視する時間と、ＤＲＸ再送信タイマーが作動中にある間にＵＥがＰＤＣＣＨを連続的に監視する時間とを含む。
【０００４】
図１に示されるように、ＤＲＸサイクルはオン持続期間の周期的反復を特定し、オン持続期間の後は起こり得るインアクティビティ期間となる。ＤＲＸインアクティビティタイマーは、ＵＥに対する最初のアップリンクまたはダウンリンクユーザデータ送信を示すＰＤＣＣＨ送信を正常に復号した後にＵＥがＰＤＣＣＨを監視する連続的な送信時間間隔（ＴＴＩ：Ｔｒａｎｓｍｉｓｓｉｏｎ  Ｔｉｍｅ  Ｉｎｔｅｒｖａｌ）の数を特定する。このＤＲＸインアクティビティタイマーは、該タイマーがまだ作動中にある間に新しいＰＤＣＣＨ送信が検出された場合、再スタートする。ＤＲＸインアクティビティタイマーの満了は、ＰＤＣＣＨ送信を受信するために特定のインアクティビティ持続期間が経過したことを示す。ＤＲＸ再送信タイマーは、ダウンリンク再送信がＵＥによって期待される時にＵＥがＰＤＣＣＨを監視する連続的なＴＴＩの最大数を特定する。ＤＲＸ短サイクルタイマーは、ＤＲＸインアクティビティタイマーが満了した後にＵＥが短ＤＲＸサイクルに従うべきである連続的なＴＴＩの数を特定する。ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）ラウンドトリップ時間（ＲＴＴ：Ｒｏｕｎｄ−ｔｒｉｐ  Ｔｉｍｅ）タイマーは、ダウンリンクＨＡＲＱ再送信がＵＥによって期待される前のＴＴＩの最小量を特定する。ＤＲＸオン持続期間タイマーは、ＵＥが可能な割り当てのためにＰＤＣＣＨを監視する連続的なＴＴＩの数を特定する。ＤＲＸオン持続期間は、ＤＲＸサイクルの一部である。
【０００５】
上述のように、ＵＥは、ＲＲＣ／ＭＡＣによってＤＲＸ機能性を有するように構成することができ、前記ＤＲＸ機能性によって、ＵＥがある期間中にＰＤＣＣＨを監視するのを止めることが可能になる。ＵＥがＰＤＣＣＨを監視しているかどうかに関わらず、求められる時、ＵＥはＨＡＲＱフィードバックを受信し、送信する。
【０００６】
図２は、短ＤＲＸサイクルまたは長ＤＲＸサイクルを選択している間の様々なＤＲＸタイマーのインターワーキングを示すためのＤＲＸサイクル例のタイミング図である。図２に示されるように、最初のＤＲＸインアクティビティタイマースタート２０１は、ＤＲＸオン持続期間内における任意のサブフレームまたはＴＴＩの間に発生することができる。ＤＲＸインアクティビティタイマー持続期間２０２は一定である。第１のＤＲＸインアクティビティタイマーの最初のスタートはスタート２０１で発生し、必要に応じて、任意数のＤＲＸインアクティビティタイマー再スタート２０３を伴う。ＤＲＸ短サイクルタイマーは、ＤＲＸインアクティビティタイマーが満了する時にスタートするように構成することができる。
【発明の概要】
【０００７】
チャネル品質インジケータ（ＣＱＩ：Ｃｈａｎｎｅｌ  Ｑｕａｌｉｔｙ  Ｉｎｄｉｃａｔｏｒ）およびサウンディングリファレンスシンボル（ＳＲＳ：Ｓｏｕｎｄｉｎｇ  Ｒｅｆｅｒｅｎｃｅ  Ｓｙｍｂｏｌ）送信に係る不連続受信（ＤＲＸ：Ｄｉｓｃｏｎｔｉｎｕｏｕｓ  Ｒｅｃｅｐｔｉｏｎ）オペレーション中における無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）動作のための方法および装置が開示される。他の実施形態では、ＤＲＸオペレーションにおけるアップリンク及びダウンリンクＶｏＩＰ無音期間中のＷＴＲＵ動作のための方法および装置が開示される。
【図面の簡単な説明】
【０００８】
より詳細な理解は、添付の図面と共に例として与えられる以下の説明から得ることができる。
【図１】先行技術によるＤＲＸサイクルを示す図である。
【図２】先行技術によるいくつかのＤＲＸタイマーの間の関係を示す図である。
【図３】複数の無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）および基地局を含む無線通信システム例を示す図である。
【図４】図３におけるＷＴＲＵおよび基地局の機能ブロック図である。
【図５】ＣＱＩ送信に係るＤＲＸオペレーションの方法フローチャートである。
【図６】ＳＲＳ送信に係るＤＲＸオペレーションの方法フローチャートである。
【図７】ＤＲＸサイクル整列に関する、様々な周期性のＳＲＳ送信のタイミング図である。
【図８】短ＤＲＸサイクルおよび長ＤＲＸサイクル選択に関する、ＶｏＩＰ無音期間中の無音記述子（ＳＩＤ：Ｓｉｌｅｎｃｅ  Ｄｅｓｃｒｉｐｔｏｒ）送信を示す図である。
【発明を実施するための形態】
【０００９】
以下で参照される場合、「無線送受信ユニット（ＷＴＲＵ：Ｗｉｒｅｌｅｓｓ  Ｔｒａｎｓｍｉｔ/Ｒｅｃｅｉｖｅ  Ｕｎｉｔ）」という用語には、それだけには限定されないが、ユーザ機器（ＵＥ：Ｕｓｅｒ  Ｅｑｕｉｐｍｅｎｔ）、移動局、固定式または携帯式の加入者ユニット、ページャ、セルラー電話、携帯情報端末（ＰＤＡ）、コンピュータ、または無線環境で動作することができる他の任意のタイプのユーザ装置が含まれる。以下で参照される場合、「基地局」という用語には、それだけに限定されないが、Ｎｏｄｅ−Ｂ、サイトコントローラ、アクセスポイント（ＡＰ：Ａｃｃｅｓｓ  Ｐｏｉｎｔ）、または無線環境で動作することができる他の任意のタイプのインターフェイス装置が含まれる。
【００１０】
図３は、複数のＷＴＲＵ３１０および基地局３２０を含む無線通信システム３００を示す。図３に示されるように、ＷＴＲＵ３１０は、基地局３２０と通信しており、基地局は、ネットワーク３３０と通信している。３つのＷＴＲＵ３１０および基地局３２０が図３に示されるが、無線通信システム３００にこれらの無線装置の任意の組み合わせを含むことができることに留意されたい。
【００１１】
図４は、図３に示した無線通信システム３００のＷＴＲＵ３１０および基地局３２０の機能ブロック図４００である。図４に示されるように、ＷＴＲＵ３１０は基地局３２０と通信している。典型的なＷＴＲＵにおいて見つけることができる構成要素に加えて、ＷＴＲＵ３１０は、プロセッサ４１５、受信機４１６、送信機４１７、およびアンテナ４１８を含む。プロセッサ４１５は、ＤＲＸオペレーション中のＷＴＲＵ動作のためにここで開示される方法を、ＤＲＸタイマーと共に実行するように構成される。前記ＤＲＸタイマーは、ＤＲＸインアクティビティタイマー４１０、ＤＲＸ再送信タイマー４１１、ＤＲＸ短サイクルタイマー４１２、ＤＲＸ長サイクルタイマー４１３、ＤＲＸオン持続期間タイマー４１４、およびＨＡＲＱ  ＲＴＴタイマー４１９を含む。受信機４１６および送信機４１７は、プロセッサ４１５と通信している。アンテナ４１８は、受信機４１６および送信機４１７の両方と通信しており、無線データの送信および受信を容易にする。
【００１２】
典型的な基地局において見つけることができる構成要素に加えて、基地局３２０は、プロセッサ４２５、受信機４２６、送信機４２７、およびアンテナ４２８を含む。プロセッサ４２５は、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）へのＷＴＲＵアクセスを割り当てるように構成される。受信機４２６および送信機４２７は、プロセッサ４２５と通信している。アンテナ４２８は、受信機４２６および送信機４２７の両方と通信しており、無線データの送信および受信を容易にする。
【００１３】
第１の実施形態では、アップリンク周期的送信（例えば、ＣＱＩ、ＰＭＩ、ＳＩおよびＳＲＳ等）は、アップリンク周期的トラフィックを長ＤＲＸサイクルまたは短ＤＲＸサイクルのＤＲＸオン持続期間またはアクティブ時間期間中のみに送信するＤＲＸサイクルのスタートと整列させることができる。チャネル品質インデックス（ＣＱＩ：Ｃｈａｎｎｅｌ  Ｑｕａｌｉｔｙ  Ｉｎｄｅｘ）レポート送信の形の非周期的アップリンクトラフィックは、ＤＲＸサイクルのスタートと整列される。
【００１４】
図５は、第１の実施形態による方法５００のフローチャートを示し、第１の実施形態において、ＬＴＥ対応のＷＴＲＵ３１０は基地局（ｅＮＢ）３２０へのＣＱＩレポート送信を整列させる。ブロック５０１で、ＷＴＲＵ３１０は非周期的レポートに関する要求をｅＮＢ３２０から受信する。短ＤＲＸサイクルが構成され、かつ短ＤＲＸサイクルが構成された閾値より短いという条件５０２で、ｅＮＢ３２０は、ブロック５０３で、直後の短ＤＲＸサイクルのオン持続期間またはアクティブ時間の間における非周期的ＣＱＩ報告のために物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を割り当てることができる。ＷＴＲＵ３１０のプロセッサ４１５は、ブロック５０４で、直後の短ＤＲＸサイクルの間のオン持続期間またはアクティブ時間において非周期的ＣＱＩレポートを送ろうと試みる。
【００１５】
あるいは、ブロック５０３で、プロセッサ４１５はブロック５０５のＤＲＸインアクティビティタイマー４１０をスタートする。ブロック５０６で、プロセッサ４１５は、長ＤＲＸサイクルまたは短ＤＲＸサイクルのうち構成されたものによってＤＲＸアクティブ期間を保持し、非周期的ＣＱＩレポートを割り当てられたＰＵＳＣＨにおいてＤＲＸアクティブ時間の間に送信する。ＤＲＸアクティブ時間期間は、そのサイクルを長ＤＲＸサイクルまたは短ＤＲＸサイクルによって終了させ、ＤＲＸインアクティビティタイマー４１０はＤＲＸアクティブ時間期間の終わりで満了する。
【００１６】
ブロック５０７で、ＷＴＲＵプロセッサ４１５は、ＣＱＩレポートをＤＲＸオン持続期間内に行なうことができるかどうかをチェックする。否定の場合、プロセッサ４１５は非周期的ＣＱＩ報告がＤＲＸアクティブ時間の間に実行されるように設定し、ＤＲＸアクティブ時間は、ＷＴＲＵ３１０がＣＱＩレポートをｅＮＢ３２０に送信して非周期的ＣＱＩレポートに関するｅＮＢの要求および割り当てを待つのに十分に長いようにする。
【００１７】
図６および図７は、ＤＲＸサイクルとのサウンディングリファレンスシンボル（ＳＲＳ：Ｓｏｕｎｄｉｎｇ  Ｒｅｆｅｒｅｎｃｅ  Ｓｙｍｂｏｌ）送信の整列のための第２の実施形態を示す。図６は、方法６００のフローチャートを示し、方法６００において、長ＤＲＸサイクルまたは短ＤＲＸサイクルのうち構成されたもののスタートとＳＲＳ送信を整列させることができる。図７は、ＳＲＳ送信としてのＳＲＳ１、ＳＲＳ２およびＳＲＳ３を短ＤＲＸサイクル（ＳＤＣ）のＤＲＸオン持続期間７０１、または長ＤＲＸサイクル（ＬＤＣ）のＤＲＸオン持続期間７０２、ＤＲＸアクティブ時間期間７０３と整列させることを示す。ブロック６０１で長ＤＲＸサイクルおよび短ＤＲＸサイクルの両方が構成され、かつＳＲＳ期間が短ＤＲＸサイクル以上である場合、ブロック６０２で、プロセッサ４１５は、ＳＲＳを短ＤＲＸサイクルと整列させててＳＲＳを短ＤＲＸサイクルのオン持続期間またはアクティブ時間の間に送信する。図７におけるＳＲＳ１で示されるように、ＳＲＳは複数の短ＤＲＸサイクルにわたる送信期間を有することができる。この例において、ＳＲＳ１は２つのＤＲＸサイクル（ＳＤＣ）の送信期間を有する。長ＤＲＸサイクルおよび短ＤＲＸサイクルの両方が構成されたという条件６０１の代わりに、プロセッサ４１５は、長ＤＲＸサイクルのみが構成されたかどうかに関して条件６０３をチェックする。肯定の場合、ＳＲＳ送信期間が長ＤＲＸサイクル（ＬＤＣ）より長いかどうかに関して条件６０４をチェックし、条件６０５で、プロセッサ４１５はＳＲＳ送信期間が長ＤＲＸサイクルの整数ｎ倍であるかどうかを判断する：
【００１８】
【数１】
2011517883.tif 000003
【００１９】
条件６０３、６０４および６０５が肯定の場合、ブロック６０７で、プロセッサ４１５はＳＲＳ送信を長ＤＲＸサイクルと整列させて、ＳＲＳを長ＤＲＸサイクルのオン持続期間またはアクティブ時間の間に送信する。例えば、図７におけるＳＲＳ２およびＳＲＳ３は２（ＬＤＣ）に等しい送信期間を有し、ＳＲＳ２はＬＤＣのＤＲＸオン持続期間７０２と整列され、ＳＲＳ３はＬＤＣのＤＲＸアクティブ時間期間７０３と整列される。
【００２０】
ブロック６０５でＳＲＳ期間がＬＤＣの整数倍でないという条件に対して、プロセッサ４１５は、ブロック６０６で他の周期的アップリンクトラフィックを使用してアップリンクトラフィックのタイミングを保持することができるかどうかを判断する。このような周期的トラフィックがほかに存在しないと判断すると、プロセッサ４１５は、ＤＲＸサイクル整列が不可能なのでブロック６０８でＤＲＳ送信を禁止する。条件６０６でそうでなければ、プロセッサ４１５はブロック６０７で他のアップリンクトラフィックを使用してアップリンクタイミングを整列させ、長ＤＲＸサイクルのＤＲＸオン持続期間またはアクティブ時間の間のＳＲＳ送信を整列させる。
【００２１】
条件６０４に戻ると、プロセッサ４０５はＳＲＳ送信期間が長ＤＲＸサイクルより短いと判断することがあり、そしてプロセッサ４０５がブロック６０６でアップリンクタイミングアドバンスを保持する他のアップリンク周期的トラフィックがあるかどうかをチェックする。他の周期的アップリンクトラフィックがない場合、プロセッサ４１５は６０８でＳＲＳ送信を、ＤＲＸオン持続期間またはＤＲＸアクティブ時間期間と整列させる方法がないことが原因で、禁止する。条件６０６でそうでなければ、プロセッサ４１５はブロック６０７で他の周期的アップリンクトラフィックを使用してアップリンクタイミングアドバンスを整列させ、ＳＲＳを長ＤＲＸサイクルのオン持続期間またはアクティブ時間の間に送信する。
【００２２】
第３の実施形態では、ＷＴＲＵプロセッサ４１５は、ボイス無音期間中にＤＲＸサイクルをボイスオーバーインターネットプロトコル（ＶｏＩＰ）の無音記述子（ＳＩＤ：Ｓｉｌｅｎｃｅ  Ｄｅｓｃｒｉｐｔｏｒ）との整列を制御する。ダウンリンクについては、ＳＩＰパケットに関するリソース割り当てのダイナミックなスケジューリングは、ＤＲＸサイクルが短ＤＲＸサイクルまたは長ＤＲＸサイクルであるかに関わらず、ＤＲＸオン持続期間またはアクティブ時間期間と整列されてよく、ＳＩＤパケットのスケジューリングおよび送信がＤＲＸオン持続期間またはアクティブ時間期間において発生する。
【００２３】
ＷＴＲＵ３１０がＤＲＸオン持続期間またはアクティブ時間期間中にダウンリンクＳＩＤパケットを受信する、この実施形態の第１の例においては、短ＤＲＸサイクルをアクティブにする必要がなく、ＷＴＲＵプロセッサ４１５は長ＤＲＸサイクルオペレーションをアクティブにする。ＤＲＸオン持続期間タイマー４１４またはＤＲＸインアクティビティタイマー４１０はＷＴＲＵ３１０がダウンリンクＳＩＤパケットをＤＲＸアクティブ時間期間中に受信した後に満了するという条件で、ＷＴＲＵプロセッサ４１５が長ＤＲＸサイクルをアクティブにする。これは、次のＤＲＸオン持続期間またはＤＲＸアクティブ時間期間を次のＳＩＤパケットと整列させ、前記次のＳＩＤパケットが長ＤＲＸサイクルに等しい周期的送信を有する。従って、ＷＴＲＵ３１０が他の時刻でウェークアップしてＳＩＤパケットを監視し、検出する必要はない。
【００２４】
あるいは、第２の例として、ＷＴＲＵはまず短ＤＲＸサイクルに入って、次に長ＤＲＸサイクルに入ることができる。ＤＲＸオン持続期間タイマー４１４またはＤＲＸインアクティビティタイマー４１０はダウンリンクＳＩＤパケットがこの期間中に受信された後に満了するという条件で、ＷＴＲＵプロセッサ４１５が短ＤＲＸサイクルをトリガーする。短ＤＲＸサイクルタイマー４１２の満了に応じて、プロセッサ４１５は長ＤＲＸサイクルをスタートする。
【００２５】
図８は、トークスパート（ｔａｌｋ  ｓｐｕｒｔ）８０２と８０４との間のアップリンクのＶｏＩＰ無音期間８０３における、アップリンクＳＩＤパケットに関するスケジューリング要求を示す。ＷＴＲＵ３１０は、ＤＲＸインアクティビティタイマー４１０が作動中にある時にアップリンクＳＩＤパケット８１０を送信することによって、アップリンクＳＩＤパケットに関するスケジューリング要求およびバッファー状態レポートをＤＲＸオン持続期間またはアクティブ時間期間８０５の間に送ることができる。ＳＩＤスケジューリング要求に応じて、ｅＮＢ３２０は同じＤＲＸオン持続期間またはアクティブ時間期間８０５内にアップリンクＳＩＤに関するリソース割り当てをＷＴＲＵ３１０に送る。ＷＴＲＵは次に割り当てられたリソースからアップリンクＳＩＤパケットを送信する。本例においてＳＩＤパケットのアップリンク送信としてここに説明されるが、本手順は任意のアップリンク送信に適用することができる。
【００２６】
アップリンクＳＩＤパケット８０１がＷＴＲＵ３１０によってＤＲＸオン持続期間またはアクティブ時間期間８０５の間に送られる、第１の例において、短ＤＲＸサイクルをアクティブにする必要がなく、ＷＴＲＵプロセッサ４１５は長ＤＲＸサイクルオペレーションを選択する。従って、ＤＲＸオン持続期間タイマー４１４またはＤＲＸインアクティビティタイマー４１０が満了してかつＷＴＲＵ３１０がアップリンク周期的パケット（例えば、ＳＩＤパケット）をこの期間中に送るという条件で、ＷＴＲＵプロセッサ４１５は長ＤＲＸサイクルをアクティブにする。
【００２７】
あるいは、ＤＲＸオン持続期間タイマー４１４またはＤＲＸインアクティビティタイマー４１０が満了してかつＳＩＤパケットがＷＴＲＵ３１０によってＤＲＸアクティブ時間期間中に送られるという条件で、ＷＴＲＵ３１０はまず短ＤＲＸサイクルに入って次に長ＤＲＸサイクルに入ることができる。
【００２８】
ＷＴＲＵ３１０は、ＤＲＸサイクルの間のアップリンク送信に係るあらゆるタイマー（例えば、ＤＲＸインアクティビティタイマー４１０、ＤＲＸ再送信タイマー４１１、ＤＲＸ短サイクルタイマー４１２、ＤＲＸ長サイクルタイマー４１３、ＤＲＸオン持続期間タイマー４１４）を中止するためのＭＡＣ制御要素をｅＮＢ３２０から受信する。リソースリリースメッセージがｅＮＢ３２０から受信された場合、ＷＴＲＵ３１０は長ＤＲＸサイクルに入ることができる。
【００２９】
第４の実施形態では、ＷＴＲＵ３１０のオペレーションおよびＤＲＸサイクルタイマーのインターアクションが定義される。ＤＲＸインアクティビティタイマー４１０、ＨＡＲＱ  ＲＴＴタイマー４１９またはＤＲＸ再送信タイマー４１１がまた作動中にあってかつ現時点のＤＲＸ短サイクルタイマー４１２またはＤＲＸ長サイクルタイマー４１３が満了する時に、ＷＴＲＵプロセッサ４１５はこれらの作動中のタイマーのいずれかを停止して進行中のダウンリンク送信およびアップリンク送信のいずれかを中止する。ＷＴＲＵプロセッサ４１５は、次に次のＤＲＸサイクルタイマー（ＤＲＸ短サイクルタイマー４１２またはＤＲＸサイクルタイマー４１３）をスタートすることができる。あるいは、ＷＴＲＵプロセッサ４１５は、ＤＲＸインアクティビティタイマー４１０、ＨＡＲＱ  ＲＴＴタイマー４１９またはＤＲＸ再送信タイマー４１１を作動中にさせていずれかの進行中のダウンリンクおよびアップリンク送信または再送信を完成することができる。次のＤＲＸサイクルのＤＲＸオン持続期間タイマー４１４は、前のＤＲＸサイクルから次のＤＲＸサイクルに入るタイマーが存在するかどうかに関わらず、プロセッサ４１５によってトリガーすることができる。
【００３０】
（実施形態）
１．無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）における不連続受信（ＤＲＸ：Ｄｉｓｃｏｎｔｉｎｕｏｕｓ  Ｒｅｃｅｐｔｉｏｎ）オペレーションの方法であって、アップリンク（ＵＬ：Ｕｐｌｉｎｋ）送信をＤＲＸサイクルと整列させるステップを備えることを特徴とする方法。
【００３１】
２．サウンディングリファレンス信号（ＳＲＳ：Ｓｏｕｎｄｉｎｇ  Ｒｅｆｅｒｅｎｃｅ  Ｓｉｇｎａｌ）をＤＲＸアクティブ時間期間中に送信するステップをさらに備えることを特徴とする実施形態１に記載の方法。
【００３２】
３．チャネル品質インデックス（ＣＱＩ：Ｃｈａｎｎｅｌ  Ｑｕａｌｉｔｙ  Ｉｎｄｅｘ）レポート送信をＤＲＸサイクルスタートと整列させるステップをさらに備えることを特徴とする実施形態１または２のいずれかに記載の方法。
【００３３】
４．短ＤＲＸサイクルのチャネル品質インデックス（ＣＱＩ：Ｃｈａｎｎｅｌ  Ｑｕａｌｉｔｙ  Ｉｎｄｅｘ）報告に関する物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の割り当てをｅＮＢ（ｅ  Ｎｏｄｅ  Ｂ）から受信するステップをさらに備え、前記短ＤＲＸサイクルは、構成された閾値より短いことを特徴とする実施形態１ないし３のいずれかに記載の方法。
【００３４】
５．ＷＴＲＵが非周期的ＣＱＩレポートをＤＲＸアクティブ時間期間において送るステップをさらに備えることを特徴とする実施形態４に記載の方法。
【００３５】
６．ＣＱＩ要求をｅＮＢから受信し、インアクティビティタイマーをスタートするステップをさらに備えることを特徴とする実施形態１ないし５のいずれかに記載の方法。
【００３６】
７．ＷＴＲＵがＤＲＸアクティブ期間において動作し、非周期的なＣＱＩレポートをＰＵＳＣＨで送信するステップをさらに備えることを特徴とする実施形態６に記載の方法。
【００３７】
８．ＣＱＩ報告をＤＲＸアクティブ時間期間と整列させるステップをさらに備え、前記アクティブ期間は、ＷＴＲＵがＣＱＩレポートを送信して非周期的ＣＱＩレポートに関する要求および割り当てを受信するのに十分な長さを有することを特徴とする実施形態１ないし７のいずれかに記載の方法。
【００３８】
９．ＳＲＳ送信をＤＲＸサイクルのスタートと整列させるステップをさらに備えることを特徴とする実施形態１ないし８のいずれかに記載の方法。
【００３９】
１０．長ＤＲＸサイクルおよび短ＤＲＸサイクルを構成し、ＳＲＳを短ＤＲＸサイクルと整列させるステップをさらに備えることを特徴とする実施形態９に記載の方法。
【００４０】
１１．複数の短ＤＲＸサイクルにわたって１つのＳＲＳ送信期間を送信し、ＳＲＳを短ＤＲＸサイクルアクティブ期間中に送信するステップをさらに備えることを特徴とする実施形態９または１０のいずれかに記載の方法。
【００４１】
１２．短ＤＲＸサイクルを構成し、ＳＲＳの周期性を判断し、ＤＲＸサイクルをＳＲＳ期間と比較し、ＳＲＳを前記比較に基づいて送信するステップをさらに備えることを特徴とする実施形態１ないし１１のいずれかに記載の方法。
【００４２】
１３．長ＤＲＸサイクルを構成し、ＳＲＳ送信期間を判断し、ＳＲＳ期間とＤＲＸサイクル長さとの比較に基づいて、ＳＲＳを前記ＤＲＸサイクルと整列させてＳＲＳをＤＲＸアクティブ期間中に送信するステップをさらに備えることを特徴とする実施形態１ないし１２のいずれかに記載の方法。
【００４３】
１４．長ＤＲＸサイクルを構成し、ＳＲＳ送信期間を判断し、ＳＲＳ期間とＤＲＸサイクル長さとの比較および周期的なＵＬ周期的トラフィックに基づいて、ＳＲＳを前記ＤＲＸサイクルと整列させてＳＲＳを送信するステップをさらに備えることを特徴とする実施形態１ないし１３のいずれかに記載の方法。
【００４４】
１５．ダウンリンク（ＤＬ：Ｄｏｗｎｌｉｎｋ）信号におけるボイス無音期間中のシステム識別子（ＳＩＤ：Ｓｙｓｔｅｍ  Ｉｄｅｎｔｉｆｉｅｒ）パケットに関するリソース割り当てのダイナミックなスケジューリングをＤＲＸアクティブ期間と整列させるステップをさらに備えることを特徴とする実施形態１ないし１４のいずれかに記載の方法。
【００４５】
１６．ＤＲＸアクティブ時間期間中にＳＩＤパケットをスケジューリングしかつ送信するステップをさらに備えることを特徴とする実施形態１ないし１５のいずれかに記載の方法。
【００４６】
１７．ＳＩＤパケットをＤＲＸアクティブ時間期間中に受信し、ＷＴＲＵを長ＤＲＸサイクルにおいて動作させるステップをさらに備えることを特徴とする実施形態１ないし１６のいずれかに記載の方法。
【００４７】
１８．タイマーの満了を判断し、ダウンリンクＳＩＤパケットを受信し、長ＤＲＸサイクルに入るステップをさらに備えることを特徴とする実施形態１７に記載の方法。
【００４８】
１９．ＷＴＲＵが第１の時間期間中に短ＤＲＸサイクルに入り、ＷＴＲＵが第２の時間期間中に長ＤＲＸサイクルに入るステップをさらに備えることを特徴とする実施形態１７に記載の方法。
【００４９】
２０．ＤＲＸタイマーの満了を判断し、ＤＬ  ＳＩＤパケットを受信し、短サイクルに入り、短ＤＲＸサイクルタイマーが満了する時に長ＤＲＸサイクルに入るステップをさらに備えることを特徴とする実施形態１９に記載の方法。
【００５０】
２１．ＵＬ  ＳＩＤパケットに関するスケジューリング要求をＵＬにおけるボイス無音期間中のＤＲＸアクティブ時間期間と整列させるステップをさらに備えることを特徴とする実施形態１ないし２０のいずれかに記載の方法。
【００５１】
２２．ＷＴＲＵがＵＬ  ＳＩＤパケットに関するＳＲ／ＢＳＲ信号をＤＲＸアクティブ時間期間中に送信し、インアクティビティタイマーがＵＬ送信の間に作動中にある時、ＵＬ  ＳＩＤパケットを送信するステップをさらに備えることを特徴とする実施形態２１に記載の方法。
【００５２】
２３．ＳＩＤパケットをＤＲＸアクティブ期間中に受信し、長ＤＲＸサイクルにおいて動作するステップをさらに備えることを特徴とする実施形態１ないし２２のいずれかに記載の方法。
【００５３】
２４．ＤＲＸタイマーの満了を判断し、ＵＬ周期的パケットを受信し、長ＤＲＸサイクルに入るステップをさらに備えることを特徴とする実施形態１ないし２３のいずれかに記載の方法。
【００５４】
２５．ＳＩＤパケットをＤＲＸアクティブ期間中に受信し、第１の時間期間中に短ＤＲＸサイクルに入り、後の時間期間中に長ＤＲＸサイクルに入るステップをさらに備えることを特徴とする実施形態１ないし２４のいずれかに記載の方法。
【００５５】
２６．ＤＲＸタイマーと監視し、ＵＬ周期的パケットを受信し、短ＤＲＸサイクルに入るステップをさらに備えることを特徴とする実施形態２５に記載の方法。
【００５６】
２７．短ＤＲＸサイクルタイマーが満了する時に長ＤＲＸサイクルに入るステップをさらに備えることを特徴とする実施形態２６に記載の方法。
【００５７】
２８．媒体アクセス制御（ＭＡＣ：Ｍｅｄｉａ  Ａｃｃｅｓｓ  Ｃｏｎｔｒｏｌ）の制御要素を受信し、受信した制御要素に応じてＵＬ送信ＤＲＸサイクルタイマーを中止するステップをさらに備えることを特徴とする実施形態１ないし２７のいずれかに記載の方法。
【００５８】
２９．ＷＴＲＵがリソースリリースメッセージを受信し、長ＤＲＸサイクルに入るステップをさらに備えることを特徴とする実施形態１ないし２８のいずれかに記載の方法。
【００５９】
３０．ＤＲＸインアクティビティタイマー、ＨＡＲＱ  ＲＴＴタイマーまたはＤＲＸ再送信タイマーを検出し、現時点のＤＲＸタイマーの満了を検出し、タイマーを止め、ＤＬおよびＵＬ送信を中止し、新しいＤＲＸサイクルタイマーをスタートするステップをさらに備えることを特徴とする実施形態１ないし２９のいずれかに記載の方法。
【００６０】
３１．ＤＲＸインアクティビティタイマー、ＨＡＲＱ  ＲＴＴタイマーまたはＤＲＸ再送信タイマーを検出し、現時点のＤＲＸタイマーの満了を検出し、ＤＬおよびＵＬ送信を完成するステップをさらに備えることを特徴とする実施形態１ないし３０のいずれかに記載の方法。
【００６１】
３２．次のＤＲＸサイクルのＤＲＸタイマーをトリガーするステップをさらに備えることを特徴とする実施形態３１に記載の方法。
【００６２】
３３．無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）であって、実施形態１ないし３２のいずれかに記載の方法を実行するように構成されたことを特徴とするＷＴＲＵ。
【００６３】
特徴および構成要素が特定の組合せで説明されたが、各特徴または構成要素は、他の特徴および構成要素を伴わずに単独で使用することができ、または他の特徴および構成要素を伴うもしくは伴わない様々な組合せで使用することができる。本明細書で提供された方法またはフローチャートは、汎用コンピュータまたはプロセッサによって実行される、コンピュータ読取り可能記憶媒体に具体的に組み込まれたコンピュータプログラム、ソフトウェア、またはファームウェアで実施することができる。コンピュータ読取り可能記憶媒体の例は、読取専用メモリ（ＲＯＭ）、ランダムアクセルメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含む。
【００６４】
適切なプロセッサは、例を挙げれば、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、ＦＰＧＡ（Ｆｉｅｌｄ  Ｐｒｏｇｒａｍｍａｂｌｅ  Ｇａｔｅ  Ａｒｒａｙ）回路、他の任意のタイプのＩＣ、ならびに／または状態機械を含む。
【００６５】
ソフトウェアと連携するプロセッサは、無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）、ユーザ機器（ＵＥ：Ｕｓｅｒ  Ｅｑｕｉｐｍｅｎｔ）、端末、基地局、無線ネットワークコントローラ（ＲＮＣ：Ｒａｄｉｏ  Ｎｅｔｗｏｒｋ  Ｃｏｎｔｒｏｌｌｅｒ）、または任意のホストコンピュータにおいて使用される無線周波数トランシーバを実施するために使用することができる。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（Ｆｒｅｑｕｅｎｃｙ  Ｍｏｄｕｌａｔｅｄ）ラジオユニット、ＬＣＤ（Ｌｉｑｕｉｄ  Ｃｒｙｓｔａｌ  Ｄｉｓｐｌａｙ）ディスプレイユニット、ＯＬＥＤ（Ｏｒｇａｎｉｃ  Ｌｉｇｈｔ−ｅｍｉｔｔｉｎｇ  Ｄｉｏｄｅ）ディスプレイユニット、デジタル音楽プレーヤ、メディアプレーヤ、ビデオゲームプレーヤモジュール、インターネットブラウザ、および／または任意の無線ＬＡＮ（ＷＬＡＮ：Ｗｉｒｅｌｅｓｓ  Ｌｏｃａｌ  Ａｒｅａ  Ｎｅｔｗｏｒｋ）もしくは超広帯域（ＵＷＢ：Ｕｌｔｒａ  Ｗｉｄｅ  Ｂａｎｄ）モジュールなど、ハードウェアおよび／またはソフトウェアで実施されるモジュールと併せて使用することができる。
【図１】
2011517883.tif 000004
【図２】
2011517883.tif 000005
【図３】
2011517883.tif 000006
【図４】
2011517883.tif 000007
【図５】
2011517883.tif 000008
【図６】
2011517883.tif 000009
【図７】
2011517883.tif 000010
【図８】
2011517883.tif 000011
【国際調査報告】
2011517883.tif 000012
2011517883.tif 000013
2011517883.tif 000014
2011517883.tif 000015
2011517883.tif 000016
2011517883.tif 000017